(57)【要約】  【課題】  構造が単純でランニングコストが低くかつ狭いスペースに設置できるチェーン給油器を提供しようとする。  【解決手段】  潤滑油を貯留する槽と、毛細管現象により液を移動させる毛細管路を備えて自身の長手方向に毛細管現象により液を移動させる可撓の長尺毛細管体と、該槽に固定されて該長尺毛細管体を挿通させた管とを備え、該長尺毛細管体の一端部が該槽に貯留される前記潤滑油に浸積される位置に配され、該長尺毛細管体の他端部が該槽の外部に位置し、該管の一端が該槽の内部に、該管の他端が該槽の外部に位置し、該槽に貯留された潤滑油が、該長尺毛細管体を通過して該槽の外部に達し、前記他端部から、給油すべきチエーンと該他端部との接触、又は該他端部から該チエーンへの滴下により、該チエーンへ到達するチェーン給油器である。  【選択図】  図１
0003109211.tif 000002
【実用新案登録請求の範囲】
【請求項１】
潤滑油を貯留する槽と、
毛細管現象により液を移動させる毛細管路を備えて自身の長手方向に毛細管現象により液を移動させる可撓の長尺毛細管体と、
該槽に固定されて該長尺毛細管体を挿通させた管と
を備え、
該長尺毛細管体の一端部が該槽に貯留される前記潤滑油に浸積される位置に配され、該長尺毛細管体の他端部が該槽の外部に位置し、
該槽に貯留された潤滑油が、該長尺毛細管体を通過して該槽の外部に達し、前記他端部から、給油すべきチエーンと該他端部との接触により、該チエーンへ到達するチェーン給油器。
【請求項２】
潤滑油を貯留する槽と、
毛細管現象により液を移動させる毛細管路を備えて自身の長手方向に毛細管現象により液を移動させる可撓の長尺毛細管体と、
該槽に固定されて該長尺毛細管体を挿通させた管と
を備え、
該長尺毛細管体の一端部が該槽に貯留される前記潤滑油に浸積される位置に配され、該長尺毛細管体の他端部が該槽の外部に位置し、
該槽に貯留された潤滑油が、該長尺毛細管体を通過して該槽の外部に達し、前記他端部から該チエーンへの滴下により、該チエーンへ到達するチェーン給油器。
【請求項３】
前記管の一端が前記槽の内部に、該管の他端が該槽の外部に位置する請求項１又は２に記載のチェーン給油器。
【請求項４】
前記管の中空部の特定の断面において該断面の断面積が可変であり前記長尺毛細管体を通過する潤滑油の通過量が調整可能とされた請求項１乃至３のいずれかに記載のチェーン給油器。
【請求項５】
前記特定の断面において前記管の管壁が外力により歪み変形可能であり、該外力により前記断面積が可変とされた請求項４に記載のチェーン給油器。
【請求項６】
前記長尺毛細管体の他端が該槽に貯留される前記潤滑油の液面より下方に位置し、該他端から潤滑油が滴下される請求項１乃至５のいずれかに記載のチェーン給油器。
【請求項７】
前記管が前記槽の壁に該壁を貫通して固定される請求項１乃至６のいずれかに記載のチェーン給油器。
【請求項８】
前記管が前記槽に着脱可能に固定された請求項１乃至７のいずれかに記載のチェーン給油器。
【考案の詳細な説明】
【技術分野】
【０００１】
本考案は、走行するチェーンに潤滑油を自動給油するためのチェーン給油器に関する。
【背景技術】
【０００２】
走行するチェーンに潤滑油を自動給油するための方法としては（例えば、特許文献１参照。）ブラシを用いるもの（例えば、特許文献２参照。）などがある。
噴霧によるものは周囲に潤滑油のミストが飛散するので、遊戯機のように人が直接操作する機器に使用されているチェーンには不適である。ブラシを用いるものは、構造が複雑でかつ長期に使用の場合のブラシの耐久性を考慮しなければならず、用途に製造コストやランニングコスト面での制約がある。又、ブラシは嵩だかであり限られたスペースに設置する場合の制約がある。
【０００３】
さて、近年においてパチンコ機は、機台に備えられた灰皿の吸殻を自動的に収集するために走行する掃走部材（搬送部材）を備えるものが多くなっている（例えば、特許文献３参照。）。この掃走部材は走行するチェーンに固定されてチェーンとともに移動して吸殻をかき集めるが、このチェーンが、長期間の連続稼動によりタバコのやにや埃の付着でエレメントの軸着部が膠着状態となるという問題を生じている。
【０００４】
このため、構造が単純でランニングコストが低くかつ限られたスペースに設置できる自動給油するためのチェーン給油器が望まれている。
【特許文献１】実開平４−６６１５９号公報
【特許文献２】実開平６−６１８６３号公報
【特許文献２】特開２００１−２３３４３１号公報
【考案の開示】
【考案が解決しようとする課題】
【０００５】
本考案は構造が単純でランニングコストが低くかつ狭いスペースに設置できるチェーン給油器を提供しようとするものである。
【課題を解決するための手段】
【０００６】
本考案の要旨とするところは、
潤滑油を貯留する槽と、
毛細管現象により液を移動させる毛細管路を備えて自身の長手方向に毛細管現象により液を移動させる可撓の長尺毛細管体と、
該槽に固定されて該長尺毛細管体を挿通させた管と
を備え、
該長尺毛細管体の一端部が該槽に貯留される前記潤滑油に浸積される位置に配され、該長尺毛細管体の他端部が該槽の外部に位置し、
該槽に貯留された潤滑油が、該長尺毛細管体を通過して該槽の外部に達し、前記他端部から、給油すべきチエーンと該他端部との接触により、該チエーンへ到達するチェーン給油器であることにある。
【０００７】
又、本発明の要旨とするところは、
潤滑油を貯留する槽と、
毛細管現象により液を移動させる毛細管路を備えて自身の長手方向に毛細管現象により液を移動させる可撓の長尺毛細管体と、
該槽に固定されて該長尺毛細管体を挿通させた管と
を備え、
該長尺毛細管体の一端部が該槽に貯留される前記潤滑油に浸積される位置に配され、該長尺毛細管体の他端部が該槽の外部に位置し、
該槽に貯留された潤滑油が、該長尺毛細管体を通過して該槽の外部に達し、前記他端部から該チエーンへの滴下により、該チエーンへ到達するチェーン給油器であることにある。
【０００８】
前記チェーン給油器においては、前記管の一端が前記槽の内部に、該管の他端が該槽の外部に位置し得る。
【０００９】
前記チェーン給油器においては、前記管の中空部の特定の断面において該断面の断面積が可変であり得、前記長尺毛細管体を通過する潤滑油の通過量が調整可能とされ得る。
【００１０】
前記チェーン給油器においては、前記特定の断面において前記管の管壁が外力により歪み変形可能であり得、該外力により前記断面積が可変とされ得る。
【００１１】
前記チェーン給油器においては、前記長尺毛細管体の他端が該槽に貯留される前記潤滑油の液面より下方に位置し得、該他端から潤滑油が滴下され得る。
【００１２】
前記管は前記槽の壁に該壁を貫通して固定され得る。
【００１３】
前記管は前記槽に着脱可能に固定され得る。
【考案の効果】
【００１４】
本考案によると、構造が単純でランニングコストが低くかつ狭いスペースに設置できるチェーン給油器が提供される。
【考案を実施するための最良の形態】
【００１５】
本考案のチェーン給油器の実施形態について、図面を使用して説明する。なお、本明細書においては、各図にわたって記される同じ符号は同一又は同様の部材やものを示す。図１に示すように、本考案のチェーン給油器２は、潤滑油１０を貯留する槽４と、毛細管現象により液を移動させる毛細管路６を備えて自身の長手方向に毛細管現象により液を移動させる長尺毛細管体８と、槽４に固定されて長尺毛細管体８を挿通させた管１２とを備えて構成される。符号２９は潤滑油の注入口である。
【００１６】
管１２は一端１５が槽４の内部に、他端１７が槽４の外部に位置し、長尺毛細管体８が、一端部１４が潤滑油１０に浸積される位置に配され、他端部１６が槽４の外部に位置する。この配置により、槽４に貯留された潤滑油１０が、毛細管の作用により長尺毛細管体８を通過して槽４の外部に達し、他端部１６から放出されてチエーン２０に達し、これによりチェーン２０への給油が自動的に行なわれる。この配置は、長尺毛細管体８を例えば組紐や、繊維束や撚り糸やテープあるいは短冊状の布のような可撓性のある素材で構成することにより、槽４の外部から内部にかけて長尺毛細管体８を自由に曲げながら所定の位置と形状にして配置させて実現することが出来る。曲げられた長尺毛細管体８を所定の位置に固定するためには管１２が用いられるが、管１２も構造が単純で長尺毛細管体８の曲りに合わせて曲げて用いることにより、長尺毛細管体８を所定の状態と位置に配置出来る。従って、チェーン給油器２を単純な構造でかつコンパクトに構成出来る。
【００１７】
他端部１６からの潤滑油の放出は、他端部１６の先端からチエーン２０へ向けて潤滑油の油滴２２が滴下することによりなされる。あるいは、給油すべきチエーン２０と他端部１６一端とを接触させておくことにより他端部１６からチエーン２０に潤滑油が移行してなされる。
【００１８】
油滴２２を継続的に滴下させるために、他端部１６は潤滑油１０の液面２４より下方に位置して配される。給油すべきチエーン２０と他端部１６の一端とを接触させておく場合は、他端部１６は、潤滑油１０の液面２４より下方に位置して配される必要は必ずしもない。油滴２２を継続的に滴下させる態様は、チエーン２０と他端部１６の一端とを接触させておく態様にくらべて時間当たりの潤滑油の放出量を小さくすることができ、長時間にわたって安定した給油が行なわれ好ましい。
【００１９】
又、本発明の他の態様においては、図２のように、管１２の一端１５が液面２４より下方即ち潤滑油１０に浸積される位置に配されてもよい。更に、管１２の他端１７が液面２４より下方に位置される態様にあっては、潤滑油１０がサイホンの原理により他端１７に達し、次いで長尺毛細管体８の他端部１６の先端から油滴２２として滴下する。この場合は他端１７における管１２の中空部の潤滑油１０が通過する断面積が、長尺毛細管体８が存在しない場合に比べて小さいので、長尺毛細管体８を用いないで単に管１２のサイホン効果のみにより潤滑油１０を槽４内から槽外に移送する場合に比べて時間当りの移送量を小さくすることができ、槽４への１回の注油により長時間のチェーン２０への給油を行なうことが出来る。かつ、単に管１２のサイホン効果により確実に一定の間隔でチェーン２０への潤滑油の滴下がなされる。
【００２０】
本考案のチェーン給油器２においては、管１２の、長尺毛細管体８を挿通させている中空部の断面積を調整することにより。時間当たりの潤滑油の通過量、従って時間当たりの潤滑油の放出量を調整することが出来る。図３に示すように、管１２を鉄、ステンレス、アルミ、真鍮等の可塑性の金属を素材として形成したものを径調整手段とし、矢印方向の外力で管１２を押しつぶす方向に変形させてこの中空部の断面積の調整を行なうことが出来る。更に、この押しつぶしにより長尺毛細管体８が圧迫されて長尺毛細管体８内を毛細管現象により移行する潤滑油の単位時間当たりの移行量を制限して調整することが出来る。図３（ａ）は押しつぶしが行なわれていない状態、図３（ｂ）は押しつぶしが行なわれて管１２の壁が変形し管１２の中空部３０の断面積が狭められた状態、図３（ｃ）は押しつぶしが更に行なわれて管１２の壁が更に変形し管１２の中空部３０の断面積が更に狭められた状態である。
【００２１】
この態様は、中空部の断面積を調整する他の機械要素を必要としないのでチェーン給油器２の構成が更にコンパクトになる。
【００２２】
管１２の他の径調整手段の態様を図４に示す。図４においては、管１２が自身の内経路の断面積を可逆的に狭める径調整手段３０を備える。径調整手段３０は、管１２に形成された挿入孔３２に一端部３６が挿入される進退片３４と、進退片３４の他端部に連結部４６を介して連結されて進退片３４を管１２の径方向に可逆的に移動させるネジ機構３８とから構成される。
【００２３】
ネジ機構３８は、一端で連結部４６を介して進退片３４の他端部に連結される雄ネジ４０と、雄ネジ４０を螺入させる雌ネジ板４２とを備える。雌ネジ板４２はネジの軸を管１２の長手方向と直交させて管１２の上方に配され、雌ネジ板４２の両端それぞれから管１２に向けて延出する脚部４４を備える。連結部４６は、進退片３４を雄ネジ４０の軸方向に雄ネジ４０とともに移動するように拘束するが雄ネジ４０の軸回りの回転に対しては拘束しない構成となっている。この構成により、雄ネジ４０の他端部のつまみ４８を回して進退片３４を管１２の径方向に移動させ、一端部３６の先端と、この先端に相対する管１２の内壁面との間隙を変えることが出来る。これにより、管１２の内経路の断面積を可逆的に狭めることが出来る。又、進退片３４が移動して長尺毛細管体８を圧迫することにより長尺毛細管体８内を毛細管現象により移行する潤滑油の単位時間当たりの移行量を制限いて調整することが出来る。
【００２４】
図５に他の態様の径調整手段３０ａを示す。図５において、長尺毛細管体８を挿通させた管１２ｂの長手方向中間部が槽４の外側壁面に沿って配置され、コの字型の雌ネジ部材９０がこの管１２ｂの長手方向中間部を跨いで槽４の外側壁面にゲート状に固定される。雌ネジ部材９０の中央に軸心を槽４の外側壁面に向けて雌ネジ孔が形成されている。この雌ネジ孔にボルト９２が螺入し、槽４の外側壁面に向けて前進してボルト９２先端が管１２ｂを押しつぶすことにより、管１２ｂの中空部の断面積が変化する。同時に長尺毛細管体８が圧迫される。管１２ｂをゴムのような弾性素材で作ることにより、この断面積を可逆的に変化させ、長尺毛細管体８を可逆的に圧迫することが出来る。
【００２５】
本考案のチェーン給油器においては、槽４は図６に示すように装着すべき装置の壁面に取り付けるための取り付け板５０を備えていてもよい。取り付け板５０にはネジ止め用の止め付け穴５２が形成されている。
【００２６】
本考案の他の態様においては、槽４が図７に示す槽４ａのように軸着部５７を支点にして開閉可能の蓋５４を備えてもよい。更に、管１２が軟質塩ビ管のように可撓性の管体５６から成って、管体５６のある位置を所定の形状に曲げて蓋５４と槽４ａの本体とで挟持させて着脱自在に固定する態様であってもよい。符号５９は槽４ａから延出された管体５６の他の位置を着脱自在に挟持する切り込み６２が形成された挟持用板である。この態様は管体５６を槽４ａから分離して長尺毛細管体８を交換することができ、あるいは、予め長尺毛細管体８を挿通させた管体５６を用意しておいて、管体５６ごと交換することができ、長尺毛細管体８の交換が容易であり好ましい。蓋５４は樹脂成形で製作可能であり、透明あるいは半透明であることが使用中に槽４ａの内部が見えて好ましい。
【００２７】
本考案の更に他の態様においては、槽４が図８に示す槽４ｂのように着脱自在の管１２ａを備えてもよい。槽４ｂは外周に雄ネジ条６８を形成した管先６６を有し、管１２ａは、一端部に管先６６を螺入させる雌ネジ条７０が形成されている。この態様も、管１２ａを槽４ｂから分離して長尺毛細管体８を交換することが出来る。槽４ｂ、管１２ａとも樹脂による射出成形が容易であり、製造コストが低く好ましい。符号７２は潤滑油の注入口のキャップである。
【００２８】
その他、本考案は、主旨を逸脱しない範囲で当業者の知識に基づき種々なる改良、修正、変更を加えた態様で実施できるものである。
【産業上の利用可能性】
【００２９】
本考案のチェーン給油器は、遊戯機の吸殻回収機構用走行チェーンのみならず、狭所に設置が必要な各種の走行チェーンや歯車のような潤滑油の給油が必要な駆動、伝達、走行個所に適用出来る。
【図面の簡単な説明】
【００３０】
【図１】本考案のチェーン給油器の構成を示す側面・断面模式図である。
【図２】本考案のチェーン給油器の他の態様の構成の一例を示す側面・断面模式図である。
【図３】本考案のチェーン給油器において、外力で管を変形させて中空部の断面積の調整を行なう態様を示す断面模式図であり、図３（ａ）は押しつぶしが行なわれていない状態、図３（ｂ）は押しつぶしが行なわれた状態、図３（ｃ）は押しつぶしが更に行なわれた状態を
【図４】本考案のチェーン給油器における、径調整手段の態様を示し、図４（ａ）は正面図、図４（ｂ）は図４（ａ）のＡ−Ａ方向の断面図、図４（ｃ）は図４（ｂ）のＢ−Ｂ方向の断面図である。
【図５】本考案のチェーン給油器における、径調整手段の他の態様を示し、図５（ａ）は正面図、図５（ｂ）は平面図である。
【図６】本考案のチェーン給油器において、槽に取り付け板が備えられた態様を示す斜視図である。
【図７】本考案のチェーン給油器において、槽に蓋が備えられた態様を示す斜視図であり、図７（ａ）は斜視図、図７（ｂ）はこの態様において用いられる長尺毛細管体を挿通させた管の斜視図である。
【図８】本考案のチェーン給油器において、着脱自在な管を備えた槽の態様を示し、図８（ａ）は槽と着脱自在な管の態様を示す斜視図、図８（ｂ）は着脱自在な管を取り付けた槽の態様を示す斜視図である。
【符号の説明】
【００３１】
２：チェーン給油器
４、４ａ、４ｂ：槽
６：毛細管路
８：長尺毛細管体
１０：潤滑油
１２、１２ａ、１２ｂ：管
２０：チエーン
２４：液面
２９：注入口
３０、３０ａ：径調整手段
５４：蓋
【図１】
0003109211.tif 000003
【図２】
0003109211.tif 000004
【図３】
0003109211.tif 000005
【図４】
0003109211.tif 000006
【図５】
0003109211.tif 000007
【図６】
0003109211.tif 000008
【図７】
0003109211.tif 000009
【図８】
0003109211.tif 000010